(57)【要約】【課題】オークション会場の二人掛けテーブルに設置するのに好適な２ユーザ用映像端末装置を提供する。【解決手段】第１表示端末（１０）のデータ処理部（１３）は、第１通信インタフェース部（１１）で受け取ったデータから第１映像表示用データを作成すると共に第２通信インタフェース部（１２）で受け取ったデータから第２映像表示用データを作成し、第２映像表示用データを第２表示端末（２０）へ送出し、映像表示部（１４，１５）は第１映像表示用データに基づいて映像を表示する。第２表示端末（２０）の映像表示部（２４，２５）は、第１表示端末（１０）から受け取った第２映像表示用データに基づいてで映像を表示する。【効果】データ処理部（１３）が１台なのでコストを低減でき、効率を向上できる。【選択図】図２
2010038953.tif 000002
【特許請求の範囲】
【請求項１】
サーバと通信回線で接続される第１表示端末（１０）と、前記第１表示端末（１０）と接続される第２表示端末（２０）とを備えてなり、前記第１表示端末（１０）は、サーバから第１ユーザに対して送られてきたデータを受け取るための第１通信インタフェース部（１１）と、サーバから第２ユーザに対して送られてきたデータを受け取るための第２通信インタフェース部（１２）と、前記第１通信インタフェース部（１１）で受け取ったデータから第１映像表示用データを作成すると共に前記第２通信インタフェース部（１２）で受け取ったデータから第２映像表示用データを作成するデータ処理部（１３）と、前記第１映像表示用データに基づいて映像を表示する映像表示部（１４，１５）と、前記第２映像表示用データを前記第２表示端末（２０）へ送出するための映像インタフェース部（１６）とを具備し、前記第２表示端末（２０）は、前記第２映像表示用データを前記第１表示端末（１０）から受け取るための映像インタフェース部（２６）と、前記第２映像表示用データに基づいて映像を表示する映像表示部（２４，２５）とを具備することを特徴とする２ユーザ用映像端末装置（１００）。
【請求項２】
請求項１に記載の２ユーザ用映像端末装置（１００）において、前記第１通信インタフェース部（１１）および前記第２通信インタフェース部（１２）は、ＩＰアドレスの異なるＬＡＮインタフェースであることを特徴とする２ユーザ用映像端末装置（１００）。
【請求項３】
請求項１または請求項２に記載の２ユーザ用映像端末装置（１００）において、前記第１表示端末（１０）は、第１入力操作卓（Ｎ１）を接続するための第１入力操作卓インタフェース部（１７）と、第２入力操作卓（Ｎ２）を接続するための第２入力操作卓インタフェース部（１８）とを具備し、前記データ処理部（１３）は、前記第１入力操作卓インタフェース部（１７）で受け取ったデータを前記第１通信インタフェース部（１１）を介してサーバへ送出すると共に前記第２入力操作卓インタフェース部（１８）で受け取ったデータを前記第２通信インタフェース部（１２）を介してサーバへ送出することを特徴とする２ユーザ用映像端末装置（１００）。
【請求項４】
請求項３に記載の２ユーザ用映像端末装置（１００）において、前記第２表示端末（２０）は、前記第２入力操作卓インタフェース部（１８）と信号スルーの第２入力操作卓用コネクタ（Ｕ２２，Ｕ２３）を具備し、前記第２入力操作卓（Ｎ２）は、前記第２入力操作卓コネクタ（Ｕ２２，Ｕ２３）を介して前記第２入力操作卓インタフェース部（１８）に接続可能であることを特徴とする２ユーザ用映像端末装置（１００）。
【請求項５】
請求項３または請求項４に記載の２ユーザ用映像端末装置（１００）において、前記第１入力操作卓インタフェース部（１７）および前記第２入力操作卓インタフェース部（１８）は、ＵＳＢインタフェースであることを特徴とする２ユーザ用映像端末装置（１００）。
【発明の詳細な説明】
【技術分野】
【０００１】
本発明は、２ユーザ用映像端末装置に関し、さらに詳しくは、オークション会場の二人掛けテーブルに設置するのにコスト・効率の観点で好適な２ユーザ用映像端末装置に関する。
【背景技術】
【０００２】
従来、バイヤー毎の映像オークション用ディスプレイ装置にサーバから通信回線で商品情報や競り価格を含む映像データを送信する映像オークション・システムが知られている（例えば、特許文献１参照。）。
【特許文献１】特開２００７−１５０５６８号公報
【発明の開示】
【発明が解決しようとする課題】
【０００３】
上記従来のオークション・システムでは、映像オークション用ディスプレイ装置をバイヤー毎に用意する必要があるため、例えば２人のバイヤーが並んで座る二人掛けテーブルが主流である中古車オークション会場では、各テーブルに２台の映像オークション用ディスプレイ装置が並べて設置されている。
しかし、映像オークション用ディスプレイ装置をバイヤー毎に用意するのはコスト高になる。また、１バイヤーで１台の映像オークション用ディスプレイ装置を使用する場合、映像オークション用ディスプレイ装置の処理能力に余裕があり、効率が悪い。
そこで、本発明の目的は、オークション会場の二人掛けテーブルに設置するのにコスト・効率の観点で好適な２ユーザ用映像端末装置を提供することにある。
【課題を解決するための手段】
【０００４】
第１の観点では、本発明は、サーバに通信回線で接続される第１表示端末（１０）と、前記第１表示端末（１０）に接続される第２表示端末（２０）とを備えてなり、前記第１表示端末（１０）は、サーバから第１ユーザに対して送られてきたデータを受け取るための第１通信インタフェース部（１１）と、サーバから第２ユーザに対して送られてきたデータを受け取るための第２通信インタフェース部（１２）と、前記第１通信インタフェース部（１１）で受け取ったデータから第１映像表示用データを作成すると共に前記第２通信インタフェース部（１２）で受け取ったデータから第２映像表示用データを作成するデータ処理部（１３）と、前記第１映像表示用データに基づいて映像を表示する映像表示部（１４，１５）と、前記第２映像表示用データを前記第２表示端末（２０）へ送出するための映像インタフェース部（１６）とを具備し、前記第２表示端末（２０）は、前記第２映像表示用データを前記第１表示端末（１０）から受け取るための映像インタフェース部（２６）と、前記第２映像表示用データに基づいて映像を表示する映像表示部（２４，２５）とを具備することを特徴とする２ユーザ用映像端末装置（１００）を提供する。
上記第１の観点による２ユーザ用映像端末装置（１００）では、第１通信インタフェース部（１１）と第２通信インタフェース部（１２）とを独立に備えており、サーバ側からはユーザ毎の映像端末装置に見えるため、従来と同じサーバを使用できる。また、第１表示端末（１０）と第２表示端末（２０）とでデータ処理部（１３）を共用するため、データ処理部（１３）を構成するＣＰＵが１台で済み、コストを低減できる。さらに、データ処理部（１３）では時分割で第１映像表示用データと第２映像表示用データとを処理するため、装置の稼働効率を向上できる。
【０００５】
第２の観点では、本発明は、前記第１の観点による２ユーザ用映像端末装置（１００）において、前記第１通信インタフェース部（１１）および前記第２通信インタフェース部（１２）は、ＩＰアドレスの異なるＬＡＮインタフェースであることを特徴とする２ユーザ用映像端末装置（１００）を提供する。
上記第２の観点による２ユーザ用映像端末装置（１００）では、普及しているＬＡＮインタフェースを用いるため、信頼性が高く、コストも低減できる。
【０００６】
第３の観点では、本発明は、前記第１または第２の観点による２ユーザ用映像端末装置（１００）において、前記第１表示端末（１０）は、第１入力操作卓（Ｎ１）を接続するための第１入力操作卓インタフェース部（１７）と、第２入力操作卓（Ｎ２）を接続するための第２入力操作卓インタフェース部（１８）とを具備し、前記データ処理部（１３）は、前記第１入力操作卓インタフェース部（１７）で受け取ったデータを前記第１通信インタフェース部（１１）を介してサーバへ送出すると共に前記第２入力操作卓インタフェース部（１８）で受け取ったデータを前記第２通信インタフェース部（１２）を介してサーバへ送出することを特徴とする２ユーザ用映像端末装置（１００）を提供する。
上記第３の観点による２ユーザ用映像端末装置（１００）では、２人のユーザの一方が、第１入力操作卓（Ｎ１）を用いて、例えば第１表示端末（１０）で表示したい映像を要求するデータをサーバへ送ることが出来る。また、２人のユーザの他方が、第２入力操作卓（Ｎ２）を用いて、例えば第２表示端末（２０）で表示したい映像を要求するデータをサーバへ送ることが出来る。
【０００７】
第４の観点では、本発明は、前記第３の観点による２ユーザ用映像端末装置（１００）において、前記第２表示端末（２０）は、前記第２入力操作卓インタフェース部（１８）と信号スルーの第２入力操作卓用コネクタ（Ｕ２２，Ｕ２３）を具備し、前記第２入力操作卓（Ｎ２）は、前記第２入力操作卓コネクタ（Ｕ２２，Ｕ２３）を介して前記第２入力操作卓インタフェース部（１８）に接続可能であることを特徴とする２ユーザ用映像端末装置（１００）を提供する。
上記第４の観点による２ユーザ用映像端末装置（１００）では、第２表示端末（２０）を使用するユーザが、第２表示端末（２０）に第２入力操作卓（Ｎ２）を接続することが出来る。
【０００８】
第５の観点では、本発明は、前記第３または前記第４の観点による２ユーザ用映像端末装置（１００）において、前記第１入力操作卓インタフェース部（１７）および前記第２入力操作卓インタフェース部（１８）は、ＵＳＢインタフェースであることを特徴とする２ユーザ用映像端末装置（１００）を提供する。
上記第５の観点による２ユーザ用映像端末装置（１００）では、普及しているＵＳＢインタフェースを用いるため、信頼性が高く、コストも低減できる。
【発明の効果】
【０００９】
本発明の２ユーザ用映像端末装置によれば、第１表示端末（１０）と第２表示端末（２０）とでデータ処理部（１３）を共用するため、データ処理部（１３）を構成するＣＰＵが１台で済み、コストを低減できる。また、データ処理部（１３）では時分割で第１映像表示用データと第２映像表示用データとを処理するため、装置の稼働効率を向上できる。
【発明を実施するための最良の形態】
【００１０】
以下、図に示す実施の形態により本発明をさらに詳細に説明する。なお、これにより本発明が限定されるものではない。
【実施例１】
【００１１】
図１は、実施例１にかかる２バイヤー用オークション端末装置１００を含む映像オークション・システム１を示す構成説明図である。
この映像オークション・システム１は、サーバ２と、中古車オークション会場の複数の二人掛けテーブルにそれぞれ設置された２バイヤー用オークション端末装置１００とを備えている。
【００１２】
２バイヤー用オークション端末装置１００は、第１バイヤーに対するオークション映像を表示する第１表示端末１０と、第１表示端末１０に同軸ケーブルおよびＵＳＢケーブルで接続され第２バイヤーに対するオークション映像を表示する第２表示端末２０と、第１表示端末１０にＵＳＢケーブルで接続されオークション映像を第１バイヤーが選択操作するための入力操作卓Ｎ１と、第２表示端末２０にＵＳＢケーブルで接続されオークション映像を第２バイヤーが選択操作するための入力操作卓Ｎ２と、第１バイヤーが応札入力するための第１応札端末３０と、第２バイヤーが応札入力するための第２応札端末４０と、第１表示端末１０に２つのＬＡＮケーブルで接続されると共に第１応札端末３０と第２応札端末４０とにそれぞれＬＡＮケーブルで接続されるスイッチングハブ５０とを具備して構成されている。
【００１３】
サーバ２に最初に接続される２バイヤー用オークション端末装置１００のスイッティングハブ５０は、サーバ２にＬＡＮケーブル３で接続されている。また、他の２バイヤー用オークション端末装置１００のスイッティングハブ５０は、ＬＡＮケーブルでカスケード接続されている。
【００１４】
図２は、２バイヤー用オークション端末装置１００を示す構成ブロック図である。
第１表示端末１０は、スイッティングハブ５０にＬＡＮケーブルで接続される第１ＬＡＮインタフェース部１１と、スイッティングハブ５０にＬＡＮケーブルで接続される第２ＬＡＮインタフェース部１２と、第１ＬＡＮインタフェース部１１で受け取ったデータから第１映像表示用データを作成すると共に第２ＬＡＮインタフェース部１２で受け取ったデータから第２映像表示用データを作成するデータ処理部１３と、第１映像表示用データに基づいてオークション映像を作成する表示処理部１４と、オークション映像を表示するＬＣＤ表示部１５と、第２映像表示用データを送出する映像インタフェース部１６と、第１ＵＳＢインタフェース部１７と、第２ＵＳＢインタフェース部１８とを具備する。
また、データ処理部１３は、第１ＵＳＢインタフェース部１７に入力されたデータ（入力操作卓Ｎ１からの入力データ）を第１ＬＡＮインタフェース部１１からサーバ２へ送出すると共に第２ＵＳＢインタフェース部１７に入力されたデータ（入力操作卓Ｎ２からの入力データ）を第２ＬＡＮインタフェース部１２からサーバ２へ送出する。
【００１５】
第２表示端末２０は、第２映像表示用データを受け取る映像インタフェース部２６と、第２映像表示用データに基づいてオークション映像を作成する表示処理部２４と、オークション映像を表示するＬＣＤ表示部２５と、スルーで接続されたＵＳＢコネクタＵ２２，Ｕ２３とを具備している。
ＵＳＢコネクタＵ２２は第１表示端末１０のＵＳＢコネクタＵ２に接続し、ＵＳＢコネクタＵ２３には入力操作卓Ｎ２を接続する。
【００１６】
第１応札端末３０は、応札操作するための応札操作卓３１と、応札データを作成する応札処理部３２と、ＬＡＮインタフェース部３３とを具備している。
第２応札端末４０は、応札操作するための応札操作卓４１と、応札データを作成する応札処理部４２と、ＬＡＮインタフェース部４３とを具備している。
【００１７】
ＬＡＮインタフェース部１１，１２，３３，４３は、それぞれユニークなＩＰアドレスを持っている。
【００１８】
入力操作卓Ｎ１，Ｎ２は、例えばＵＳＢテンキーである。
【００１９】
オークションの手順は次にようになる。
（１）サーバ２は、参加するオークションを選択するためのデータを、全ての２バイヤー用オークション端末装置１００の第１ＬＡＮインタフェース部１１および第２ＬＡＮインタフェース部１２へブロードキャスト送信する。
（２）第１バイヤーは、第１入力操作卓Ｎ１を操作して、参加するオークション（例えばセダンのオークションやトラックのオークションなど）を選択する。同様に、他のバイヤーも、自分の入力操作卓を操作して、参加するオークションを選択する。
（３）サーバ２は、各バイヤーが参加するオークションのデータを、それぞれに対してユニキャスト送信する。
（４）第１バイヤーは、第１応札端末３０から応札する。同様に、他のバイヤーも、自分の応札端末から応札する。
（５）サーバ２は、各バイヤーからの応札データを受け取り、オークションを進める。
【００２０】
実施例１の２バイヤー用オークション端末装置１００によれば、各バイヤーがユニークなＩＰアドレスを持っており、サーバ２からはバイヤー毎のオークション端末装置に見えるため、従来と同じサーバを使用できる。また、第１表示端末１０と第２表示端末２０とでデータ処理部１３を共用するため、データ処理部１３を構成するＣＰＵボードが１つで済み、コストを低減できる。さらに、データ処理部１３では第１バイヤーのための処理と第２バイヤーのための処理とを時分割で処理するため、装置の稼働効率を向上できる。
【実施例２】
【００２１】
入力操作卓Ｎ１，Ｎ２をタッチパネルに置き換えてもよい。
【産業上の利用可能性】
【００２２】
本発明の２ユーザ用映像端末装置は、会場型オークションなどに好適である。
【図面の簡単な説明】
【００２３】
【図１】実施例１に係る２バイヤー用オークション端末装置を含む映像オークション・システムを示す構成説明図である。
【図２】実施例１に係る２バイヤー用オークション端末装置の構成ブロック図である。
【符号の説明】
【００２４】
１                    映像オークション・システム
２                    サーバ
３                    ＬＡＮケーブル
１０                  第１表示端末
１１                  第１ＬＡＮインタフェース部
１２                  第２ＬＡＮインタフェース部
１３                  データ処理部
１４                  表示処理部
１５                  ＬＣＤ表示部
１６                  映像インタフェース部
１７                  第１ＵＳＢインタフェース部
１８                  第２ＵＳＢインタフェース部
２０                  第２表示端末
２４                  表示処理部
２５                  ＬＣＤ表示部
２６                  映像インタフェース部
３０                  第１応札端末
４０                  第２応札端末
５０                  スイッチングハブ
１００                ２バイヤー用オークション端末装置
Ｌ１，Ｌ２            ＬＡＮコネクタ
Ｎ１                  第１入力操作卓
Ｎ２                  第２入力操作卓
Ｕ１，Ｕ２，Ｕ２２，Ｕ２３      ＵＳＢコネクタ
【図１】
2010038953.tif 000003
【図２】
2010038953.tif 000004